(57)【要約】  本明細書の記載は、蒸散性断熱可変形状型枠用の、全ての形状の土台補強、支柱、独立基礎、および耐震性セパレータを補強するために使用される動的モジュール式構成システム（１）に関し、システムはそのような補強の垂直要素用の少なくとも１つの案内面（１０）と、そのような案内面（１０）用の少なくとも１つの支持ブラケット（３０）と、を含み、前記ブラケット（３０）はそのような案内面（１０）をそのような蒸散性「使い捨て」断熱型枠に対して設置することを可能にするのに適している。【選択図】図６
2014505814.tif 000002
【特許請求の範囲】
【請求項１】
蒸散性「使い捨て」断熱および可変形状型枠用に意図された、土台、支柱、独立基礎、耐震性セパレータを補強するために使用される動的モジュール式構成システム（１）であって、前記構成システム（１）が、前記補強に関連する垂直要素の少なくとも１つの案内面（１０）と、前記案内面（１０）の少なくとも１つの支持ブラケット（３０）とを含み、前記ブラケット（３０）が、前記案内面（１０）を前記蒸散性「使い捨て」断熱型枠に対して設置することを可能にするのに適し、前記支持ブラケット（３０）が、前記蒸散性「使い捨て」断熱型枠の少なくとも１つのパネルとの接続を形成するのに適した１つの接続部分（３１）から構成され、前記接続部分（３１）が、前記案内面（１０）の少なくとも１つの縁部を支持するのに適した少なくとも１つの支持部分（３３）と接続され、前記接続部分（３１）が、「Ｔ」のように本質的に成形された少なくとも１つのロックイン形状部（３５’、３５’’、３５’’’）を含み、前記支持部分（３３）が、前記案内面（１０）の少なくとも１つの縁部を支持するのに適した少なくとも１つの支持ブラケット（３７’、３７’’、３７’’’）を含む動的モジュール式構成システム（１）において、前記支持ブラケット（３０）が、予め確立された切込み線（Ｔ’、Ｔ’’）を間に配置することによって互いに接続された複数のモジュール（Ａ’、Ａ’’、Ａ’’’）から構成され、前記モジュール（Ａ’、Ａ’’、Ａ’’’）のそれぞれが、「Ｔ」のように本質的に成形された前記ロックイン形状部（３５’、３５’’、３５’’’）の少なくとも１つ、好ましくは少なくとも１つの各弾性ピン（３９’、３９’’、３９’’’）を有する前記支持ブラケット（３７’、３７’’、３７’’’）の少なくとも１つ、および好ましくは少なくとも１つの支持サドル（４１’、４１’’、４１’’’）から構成されることを特徴とする、動的モジュール式構成システム（１）。
【請求項２】
請求項１に記載の動的モジュール式構成システム（１）において、前記案内面（１０）が、複数の鉄材案内用テーパ状ブッシュ貫通開口部（１３）と、１つまたはいくつかの前記支持ブラケット（３０）による前記案内面（１０）の拘束された接続を可能にするのに適した複数の接続座部（１５）とを備えた１つの支持面（１１）から構成されることを特徴とする、動的モジュール式構成システム（１）。
【請求項３】
請求項１又は２に記載の動的モジュール式構成システム（１）において、前記ブラケット（３７’、３７’’、３７’’’）に、前記案内面（１０）の前記接続座部（１５）の１つの内側に嵌合するのに適した少なくとも１つの弾性ピン（３９’、３９’’、３９’’’）が装備されることを特徴とする、動的モジュール式構成システム（１）。
【請求項４】
請求項１に記載の動的モジュール式構成システム（１）において、少なくとも１つの支持サドル（４１’、４１’’、４１’’’）が、前記接続部分（３１）と前記支持部分（３３）の間に配置されることを特徴とする、動的モジュール式構成システム（１）。
【請求項５】
請求項１に記載の動的モジュール式構成システム（１）において、前記支持ブラケット（３０）が、少なくとも１つの端部開口（４５）を通って前記接続部分（３１）から延びる蒸散ダクトと接続するために使用される少なくとも１つの接続手段（４３）を含むことを特徴とする、動的モジュール式構成システム（１）。
【請求項６】
請求項１に記載の動的モジュール式構成システム（１）において、「Ｔ」のように本質的に成形された前記ロックイン形状部（３５’、３５’’、３５’’’）に、１つの切込み線（４９’、４９’’、４９’’’）に沿った少なくとも１つの除去可能タブ（４７’、４７’’、４７’’’）が装備されることを特徴とする、動的モジュール式構成システム（１）。
【請求項７】
請求項１に記載の動的モジュール式構成システム（１）において、前記動的モジュール式構成システム（１）が、国際接続規格に準拠して前記支柱を前記土台に完全に固定することを可能にするのに適した少なくとも１つのモジュール式固定グリッド（４０）を含むことを特徴とする、動的モジュール式構成システム（１）。
【請求項８】
請求項１に記載の動的モジュール式構成システム（１）において、前記動的モジュール式構成システム（１）が、前記支柱の１つの構造を、その周囲で囲むのに適した少なくとも１つの独特なモジュール式包囲システム（５０）を含むことを特徴とする、動的モジュール式構成システム（１）。
【請求項９】
請求項８に記載の動的モジュール式構成システム（１）において、前記モジュール式包囲システム（５０）が、少なくとも１つの締結ねじを挿入するための各中央セルの内側スロットに対する手段を備えた、ねじ付きヘッド部を備えた横材（５１）と、蝶型頭部ねじまたはボルトを用いて前記ヘッド部にねじ留めされるのに適した少なくとも１つの角度付き接合要素（５３）とを含むことを特徴とする、動的モジュール式構成システム（１）。
【請求項１０】
請求項９に記載の動的モジュール式構成システム（１）において、前記モジュール式包囲システム（５０）が、スナップインロックと下側および上側らせん状歯部とを特徴とする少なくとも１つの複合要素（５５）を含むことを特徴とする、動的モジュール式構成システム（１）。
【請求項１１】
請求項８に記載の動的モジュール式構成システム（１）において、前記モジュール式包囲システム（５０）が、倍数および約数によって特徴づけられる少なくとも１つのモジュール式可逆チェーン一定ピッチ要素（５７）を含み、前記モジュール式チェーン要素（５７）が、少なくとも１つの締結ねじを挿入することを可能にする中央穿孔を特徴とすることを特徴とする、動的モジュール式構成システム（１）。
【請求項１２】
請求項８に記載の動的モジュール式構成システム（１）において、前記独特のモジュール式包囲システム（５０）が、１つの締結ねじを挿入するための各中央セルの内側スロットに対する手段を備えた、歯付きスナップインロックを特徴とするヘッド部を備えた横材（５９）と、前記横材（５９）の前記ヘッド部の少なくとも１つの締付け要素（６１）とを含むことを特徴とする、動的モジュール式構成システム（１）。
【請求項１３】
請求項１に記載の動的モジュール式構成システム（１）において、動的モジュール式構成システム（１）が、現場で直接、構造ブラケット、ロッドおよび／またはＩＰＥ  ＵＰＮ  Ｔなどの矩形要素から構成される足場の４つの補強された部品を作製するために、複数のコネクタ、プレート、構造ブラケット要素および断熱パネルを組み立てることを可能にすることを特徴とする、動的モジュール式構成システム（１）。
【請求項１４】
請求項１に記載の動的モジュール式構成システム（１）において、前記動的モジュール式構成システム（１）が、耐火性と点状および圧縮構造強度とに関する国際規格によって定められるようなバーのカバーを保証するために、補強バーの全てを、長手方向および垂直方向の両方で、少なくとも２５ｍｍの緊密なピッチによって、すなわち、計測倍数および約数によって、完全に拘束するのに適していることを特徴とする、動的モジュール式構成システム（１）。
【請求項１５】
請求項１に記載の動的モジュール式構成システム（１）において、前記動的モジュール式構成システム（１）が、耐火性と地震作用下の構造強度とに関する国際規格によって定められるようなバーのカバーを保証するために、Ｕ型構造ブラケットであって前記ブラケットに接近する前記第２の構造ブラケットの１つの重なりのために少なくとも４５°で曲げられた部分を有するＵ型構造ブラケットの全てを、垂直位置および傾斜位置の両方で、少なくとも２５ｍｍの緊密なピッチによって、すなわち、計測倍数および約数によって、完全に拘束するのに適していることを特徴とする、動的モジュール式構成システム（１）。
【発明の詳細な説明】
【技術分野】
【０００１】
本発明は、可変形状型枠用の、あらゆる形状の土台、支柱、独立基礎、耐震性セパレータを補強するために使用されるモジュール式構成システムに関する。
【０００２】
型枠は鉄筋コンクリート建物を建てるために建築および建設業界で使用される顕著な構造物である。型枠は、補強鉄材が適切に位置付けられ、かつそれらの付属構造ブラケットで共に結合されたあと、液状の追加コンクリートが流し込まれるケーシングを提供し、コンクリートは、凝結プロセスが完了し、流し込まれたコンクリートが、一旦固化状態が始まり、従来の型枠自体が取り外された直後に構造物が耐えなければならない応力の吸収を保証するような機械的強度を得た後までケーシング中に存在する。
【０００３】
型枠はいくつかの材料から作製可能であり、特に、「使い捨て」型枠が建築および建設目的に現在使用される（特に、一方向性のロフトビルおよび組積造を建築するために使用される）。「使い捨て」型枠は、中空を特徴とするブロックから、および断熱コンクリート型枠（ＩＣＦ：Ｉｎｓｕｌａｔｅｄ  Ｃｏｎｃｒｅｔｅ  Ｆｏｒｍ）と一般に呼ばれる技法を用いて作製されるポリスチレン発泡パネルから、ならびにそれらの各スペーサコネクタから構成され、それらは、鉄筋コンクリート壁の型枠を構成する様々な前述のパネルの組立ておよび内部ブロックに必要な一緒に打抜かれる（ｃｏ−ｓｔａｍｐｅｄ）使い捨て可能な物品である。
【０００４】
かなりの程度まで現在簡単に使用されているコネクタにもかかわらず、支柱補強鉄材（鉄材は典型的には鋼ロッドの形態である）を位置付けるための、（据付けだが）「使い捨て」の型枠の組立て、以下の２つの方法に従う本質的に補強ロッドの長手方向および垂直方向の位置付けを伴う従来方法がなおも適用される。
−鉄材は個々に挿入され、その後、補強鉄材に沿って配置される水平足場（一般に四角形に折られるロッドから作製される）を構成する複数のブラケットに結合されることによって所望の位置に保持される：そのような旧式のシステムは、より長い凝結時間と、熟練を要する労働を当然必要とする。
−補強は、前もって溶接された、または軟鉄線を用いて結合された足場からなり、それは矩形の垂直鉄材と水平拘束構造物を組み込む：この場合、そのような足場の搬送は、足場がその重量および寸法と比べて（幅および長さの両方に関して）かなりかさばるので、かなり費用がかかる。
【０００５】
従って本発明の目的は、蒸散性「使い捨て」断熱および可変形状型枠用の、土台補強、支柱、独立基礎、耐震性セパレータの簡単な即時適用に使用される独自の動的モジュール式構成システムを提供することによって、旧式の方法に関連する上述の問題を解決することであり、当該システムは、関連部分および形状にかかわらず、簡単、便利かつ迅速に、補強鉄材をそのような支柱に適するようにし得る。
【０００６】
本発明の１つのさらなる目的は、非常に変化する設計要件に従って簡単に適所に配置され得るモジュール要素から構成される、蒸散性「使い捨て」断熱および可変形状型枠用の、土台、支柱、独立基礎、耐震性セパレータのいずれか１つの形状を補強するための動的モジュール式構成システムを提供することであり、そのようなモジュール要素は、それらが軽量モジュールであるため簡単に運ぶことができ、かつ非常に小さい体積で互いに重ねることができ、後者の特性は、特に空間が居住者に占められる中心地区において明白な建設上の利点を実際に与えることによって、環境保護と、地盤の緩んだ領域に位置する建築現場における実際の利用との両方を保証するのに有利である。
【０００７】
さらに、本発明の１つの目的は、蒸散性「使い捨て」断熱および可変形状型枠用の、多数の土台、支柱、独立基礎、耐震性セパレータの補強材を組み立てるための動的モジュール式構成システムを提供することであり、当該システムは、非常に変わる構造設計要件に従って簡単に位置付けられ、かつまた一定の測定ピッチで簡単に組み立てることができる要素から構成され、均質な強度を保証し、実際にまた、安全性および建築現場を保証する。
【０００８】
本発明の上記および他の目的および利点は、以下の記載で詳述されるように、請求項１に記載のもののような、蒸散性「使い捨て」断熱および可変形状型枠用の、土台、支柱、独立基礎、耐震性セパレータを補強するために使用される動的モジュール式構成システムを使用することによって達成され得る。本発明の好ましい実施形態の設計および最初の変形形態は、関連請求項の目的であり得る。
【０００９】
当然のことながら、本発明の保護の範囲から逸脱することなく、添付の請求項中で参照されるような、多数の変形形態および修正形態を記載の物品に対して作ることができる（例えば、いくつかの断熱パネルを各可変ピッチ補強材で連結することに関連する変形形態および修正形態、ならびに等価機能を実行する形状寸法、配置および部品に関連する変形形態および修正形態）。
【００１０】
本発明はいくつかの好ましい実施形態により最良に記載され得る。好ましい実施形態は、添付の図面を参照して、例によって、および限定せずに提供され得る。
【図面の簡単な説明】
【００１１】
【図１】図１は、本発明に従う蒸散性「使い捨て」断熱および可変形状型枠用に意図された、いくつかの種類の土台、支柱、独立基礎、耐震性セパレータを補強するために使用される動的モジュール式構成システムを構成する要素の好ましい実施形態に関連する上面斜視図を示す。
【図２】図２は、図１に示された要素の上面斜視図を示す。
【図３】図３は、本発明に従う蒸散性「使い捨て」断熱および可変形状型枠用に意図された、様々な種類の土台、支柱、独立基礎、耐震性セパレータを補強するために使用される動的モジュール式構成システムを構成する別の要素および／またはコネクタの好ましい実施形態に関連する上面斜視図を示す。
【図４】図４は、図３に示された多機能接続要素の正面図を示す。
【図５】図５は、図３に示された多機能接続要素の側面図を示す。
【図６】図６は、１つの可能な設置構造に従って組み立てられたおよび／または関連付けられた、本発明に従うシステムに関連する多機能接続要素の上面斜視図を示す。
【図７】図７は、１つの別の可能な設置構造に従って組み立てられたおよび／または関連付けられた、本発明に従う動的構成システムに関連する接続要素の底面斜視図を示す。
【図８】図８は、本発明に従う可変形状型枠用に意図された、様々な種類の土台、支柱、独立基礎、耐震性セパレータを補強するために使用される動的モジュール式構成システムを構成する垂直補強材を基部が一体的に拘束するための別のグリッド要素に関連する好ましい実施形態の底面斜視図を示す。
【図９】図９は、本発明に従う可変形状型枠用に意図された、様々な種類の土台、支柱、独立基礎、耐震性セパレータを補強するために使用される動的モジュール式構成システムを構成する包囲システムの好ましい実施形態の上面斜視図を示す。
【図１０】図１０は、本発明に従う可変形状型枠用に意図された、様々な種類の土台、支柱、独立基礎、耐震性セパレータを補強するために使用される動的モジュール式構成システムを構成する包囲システムの好ましい実施形態の上面斜視図を示す。
【図１１】図１１は、本発明に従う可変形状型枠用に意図された、様々な種類の土台、支柱、独立基礎、耐震性セパレータを補強するために使用される動的モジュール式構成システムを構成する包囲システムの好ましい実施形態の上面斜視図を示す。
【図１２】図１２は、本発明中参照されるモジュール式構成システムおよび支持ブラケットの側面図を示す。
【図１３】図１３は、本発明中参照されるモジュール式構成システムおよび支持ブラケットの斜視図を示す。
【図１４】図１４は、本発明中参照されるモジュール式構成システムおよび支持ブラケットの斜視図を示す。
【図１５】図１５は、本発明中参照されるモジュール式構成システムおよび支持ブラケットの斜視図を示す。
【００１２】
図面を参照することにより以下のことを理解することができる。すなわち、蒸散性「使い捨て」断熱および可変形状型枠用に意図された、様々な種類の土台、支柱、独立基礎、耐震性セパレータを補強する（さらには複合的形状を特徴づけ、かつ傾斜、垂直または水平位置に配設される）ために使用される動的モジュール式構成システム１が、そのような補強を構成する垂直要素（以後、簡潔に「鉄材」と呼ぶ）用の少なくとも１つの案内面１０と、そのような面１０用の少なくとも１つの支持ブラケット３０とを含み、そのようなブラケット３０は、蒸散性「使い捨て」断熱型枠（不図示）、特に断熱性コンクリート型枠（ＩＣＦ：Ｉｎｓｕｌａｔｅｄ  Ｃｏｎｃｒｅｔｅ  Ｆｏｒｍ）工法に従ってＥＰＳポリスチレン発泡パネルから作製された型枠に対する案内面１０の導入を可能にするのに適している。
【００１３】
特に図１および２を参照することによって、以下を理解することができる。すなわち、案内面１０は、複数の鉄材案内用テーパ状ブッシュ貫通開口部１３を備えた支持面１１から構成され、その内側には、補強鉄材および複数の接続座部１５の両方を挿入可能であり、複数の接続座部１５はかかる支持面１１の縁部に沿って配置されると好ましく、それは１つまたはいくつかの支持ブラケット３０による案内面１０の完全に拘束された接続を可能にするのに適している。当然のことながら、そのような鉄材案内用テーパ状ブッシュ貫通開口部１３の、および接続座部１５の数、寸法、形状および幾何学的配置は、本発明の保護の範囲から逸脱することなく、ほとんど変えてもよい。
【００１４】
鉄材案内用貫通開口部１３は好ましくは、（同じ直径にもかかわらず）その内側に配置される補強鉄材に中心を与えるのに適した弾性タブ１４として画定されるような円錐形状を特徴とするべきである。さらに、弾性タブ１４は、コンクリートが完全に鉄材を包むこと（ひいては適切な接着）と、支柱カバーに関する国際規格および規則の準拠とを保証する。さらに、鉄材自体を収容するように適切に成形された、案内面１０の鉄材案内用貫通開口部１３の中に配置される（矩形ＩＰＥ、ＨＥ、ＵＰＮ−Ｔバーによる様々な種類の形状に正確な）弾性タブ１４の独特の形状は、垂直に配置される矩形ロッドの、および／またはＩＰＥ、ＨＥ、ＵＰＮ−Ｔのいずれか１つの直径を完全に引っ掛けることを可能にし得、および追加のコンクリートが流し込まれると同じ弾性タブ１４が構造要素をしっかり保持し得る。
【００１５】
充填段階の間、鉄材案内用テーパ状ブッシュ貫通開口部１３を備えた案内面１０の使用、ならびに中粒〜微粒混合物を特徴とする適切に充填されたコンクリートの使用は、鉄材案内用テーパ状ブッシュ貫通開口部１３自体の中の垂直および水平補強材の完全な結合により適切な補強カバーと組み合わせられると、製造された物品が高い構造強度、防火性（ＲＥＩ）および耐久性を特徴とすることを生産的に可能にし得る。さらに、本発明において参照されるシステムの案内プレート１０のおかげで、垂直の鉄材が、鉄材案内用テーパ状ブッシュ貫通開口部１３の内側のみに配設されることを考慮することによって、長手補強材の２つの後続する鉄材の間の２．５ｃｍの最小のコンクリートの包込みが、鉄材の直径と無関係に保証され、従って、より高い構造強度およびＲＥＩ防火性を保証し、すなわち、従って製造された物品の明らかにより長い耐久性を保証する。
【００１６】
特に、図３〜５で理解できるように、支持ブラケット３０が、案内面１０の少なくとも１つの縁部を支持するのに適した少なくとも１つの支持部分３３と接続される、蒸散性「使い捨て」断熱型枠の少なくとも１つのパネルと接続を形成するのに適した、１つの接続部分３１から構成される。
【００１７】
明らかなように、接続部分３１には、任意の１つの接続手段が装備されてもよく、この接続手段は、本発明の保護の範囲から逸脱することなく、本発明中参照される動的構成システムの支持ブラケット３０を、関連業界で知られる任意の１つのパネルの対応するロックイン形状部と接続することを可能にし得る機械的接続手段または任意の１つのロックイン形状部である。具体的には、接続部分３１は、関連業界で知られるほとんどすべてのパネル（ＥＰＦ製さえも）の対応するＴ状に成形されたロックイン形状部に挿入されるのに適した「Ｔ」のように本質的に成形された少なくとも１つのロックイン形状部（３５’、３５’’、３５’’’）を含む。ロックイン形状部には、パネルのロックイン形状部内部へのその挿入を容易にするために、少なくとも１つの適切に押し広げられた下側部分が装備され得る。
【００１８】
支持部分３３は、代わりに、案内面１０の少なくとも１つの縁部を支持するのに適した少なくとも１つの支持ブラケット３７’、３７’’、３７’’’を含み得、そのようなブラケット３７’、３７’’、３７’’’には、例えば案内面１０の接続座部１５の１つの内側に嵌め込まれ、かつまた弾性ピン３９’、３９’’、３９’’’自体の弾性的な拡張のせいで、接続座部の内側を干渉によりしっかり掴むのに適したａｌ弾性ピン３９’、３９’’、３９’’’などの少なくとも１つの接続手段が装備されると好ましい。
【００１９】
少なくとも１つの支持サドル４１’、４１’’、４１’’’が、接続部分３１と支持部分３３の間に配置され得ると好ましく、そのような支持サドルは、直径の拘束なしに、水平に配置された１つまたはいくつかの補強鉄材を、拘束された態様で支持するのに適している。
【００２０】
さらに、支持ブラケット３０は、接続部分３１から少なくとも１つの端部開口４５を通って延びる蒸散ダクト（不図示）との接続に使用される１つの接続手段４３を含んでもよく、そのような蒸散ダクトは、（必要ならば）１つの逆止弁（不図示）を間に配置することによって、明らかに発生し得る圧力差の効果による、補強材内側から外側へ向かう蒸散性「使い捨て」断熱型枠のパネルを通した蒸散を生産的に可能にするのに適している。
【００２１】
図に示されるものなど、本発明中参照される動的構成システムに関する支持ブラケット３０の好ましい一実施形態では、以下のことを理解することができる。すなわち、ブラケット３０自体は、予め確定された切込み線Ｔ’、Ｔ’’を間に配置することによって互いに接続された複数のモジュールから構成されてもよく（例えば、図のブラケット３０は３個のモジュールＡ’、Ａ’’、Ａ’’’から構成される）、前記モジュールＡ’、Ａ’’、Ａ’’’のそれぞれは、「Ｔ」のように本質的に成形されたそのようなロックイン形状部（３５’、３５’’、３５’’’）の少なくとも１つと、必要であれば少なくとも１つの各弾性ピン３９’、３９’’、３９’’’を備えたそのような支持ブラケット３７’、３７’’、３７’’’の少なくとも１つと、必要であれば少なくとも１つの支持サドル４１’、４１’’、４１’’’とから構成される。結果として、例えば、ブラケット３０のモジュールＡ’は、「Ｔ」のように本質的に成形されたｌロックイン形状部から、ならびに弾性ピン３９’を備えた支持ブラケット３７’および支持サドル４１’から構成され、モジュールＡ’’’は、「Ｔ」のように本質的に成形されたｌロックイン形状部３５’’から、ならびに弾性ピン３９’’を備えた支持ブラケット３７’’および支持サドル４１’’から構成され、モジュールＡ’’’は、「Ｔ」のように本質的に成形されたｌロックイン形状部３５’’’、弾性ピン３９’’’を備えた支持ブラケット３７’’’および支持サドル４１’’’から構成される。
【００２２】
明らかに、各動的構成モジュールは、例えば、１つの形状部、１つのブラケットおよび１つのサドルのみから構成されるが、ブラケット３０は、本発明の保護の範囲から逸脱することなく、前述の要素を異なる数量で有する他の任意の形状をとってもよく、各モジュールに従い互いに異なっていることさえ可能であることは当然予測できる。
【００２３】
従ってこの特徴は、本発明中参照される構成システム１の高度な動的およびモジュール式設置を可能にし得る。実際、ブラケット３０は、特別な構造要件に従って、１つの完全な物品として使用され得るか、より小さい寸法を特徴とするブラケット３０を得るために予め確立された切込み線Ｔ’、Ｔ’’に沿って分解されることによって分離され得る。さらに、補強鉄材の正確な位置決めをなお保証するために、「Ｔ」のように本質的に成形された同じロックイン形状部３５’、３５’’、３５’’’に、少なくとも１つの各除去可能タブ４７’、４７’’、４７’’’が取り付けられてもよく、具体的には、除去可能タブ４７’、４７’’、４７’’’は、一旦ロックイン形状部３５’、３５’’、３５’’’がパネル自体の各ロックイン形状部に挿入されると、蒸散性「使い捨て」断熱型枠のパネルに沿って位置決めブラケット３０の高さを変えるように、およびまた、高度に正確な案内面１０の（高さ方向の）位置決めを可能にするように、切込み線４９’、４９’’、４９’’’に沿って分解することによって「Ｔ」のように本質的に成形されたロックイン形状部（３５’、３５’’、３５’’’）から取り外すことができ、案内面１０には、閉鎖されたおよび／または開放されたＵ状鋼構造ブラケットを水平に収容可能であり、そのような構造ブラケットは、完全に重なるための端部の適切な４５°の曲折（不図示）を特徴とし、かつ特別な弾性ピンによってしっかり拘束される。
【００２４】
特に図６および７を参照することによって、複数の案内パネル１と支持ブラケット３０とから構成される型枠（不図示）内部の、本発明中参照される動的構成システム１の可能な設置構造を理解することができる。
【００２５】
特に図８で理解できるように、本発明中参照される動的構成システムはまた、土台への完全な支柱の固定を可能にするのに適した少なくとも１つのモジュール式固定グリッド４０を含んでもよい。
【００２６】
さらに、特に図９、１０および１１で理解できるように、様々な案内面１０の間の確実な接続を保証するために、本発明中参照される動的構成システムはまた、案内面１０およびブラケット３０を用いて得られる支柱構造を（周縁で）囲むのに適した少なくとも１つの完全モジュール式包囲システム５０を含む。図９に示されるものなどの第１の好ましい実施形態において、モジュール式包囲システム５０は、追加コンクリート流し込み圧力に対するその強度を保証するために蒸散性「使い捨て」断熱型枠のパネルに嵌め込まれたコネクタの支柱にねじ込まれる少なくとも１つの締結ねじを挿入するための各中央セルの内側スロットへの手段を備えた、ねじ付きヘッド部を装備されたハニカム状横材５１と、差込みマウントを用いてスナップ嵌めされるのに適し、および／または前記ヘッド部に蝶型頭部ねじもしくはボルトを用いてねじ込まれるのに適した少なくとも１つの角度付き接合要素５３とを含む。モジュール式包囲構成システム５０はまた、蒸散性「使い捨て」断熱型枠の、および／または従来式の型枠のピッチおよび寸法を調整するための、ならびに横材５１を確実に拘束するための、スナップインロックならびに下側および上側らせん状歯部を特徴とする１つの複式要素５５を含む。
【００２７】
図１０に示されるものなどの別の好ましい実施形態によれば、モジュール式包囲システム５０は、コンクリートセパレータまたは支柱に対する構造制限なく、任意の１つの寸法（倍数および約数も）を得るために組み立てることができる少なくとも１つのモジュール式可逆チェーン一定ピッチ要素５７を含む。さらに、動的モジュール式チェーン要素５７は、追加コンクリート流し込み圧力に対するその強度を保証するために、パネルに嵌め込まれたコネクタの支柱にねじ込まれる少なくとも１つの締結ねじの挿入を可能にする中央穿孔を特徴とする。動的モジュール式チェーン要素５７は、楕円、円形、六角形および八角形部分を特徴とする支柱、および任意の１つの部分を特徴とするセパレータを補強するように特に意図されているが、異なる形状をいっさい制限しないことは明白である。
【００２８】
図１１に示されるものなどの別の好ましい一実施形態によれば、動的モジュール式包囲システム５０はヘッド部が装備されたハニカム状横材５９を含み、ヘッド部は、歯付きスナップインロックと、追加のコンクリート流し込み圧力に対するその強度を保証するためにパネルに嵌め込まれるコネクタの支柱にねじ込まれる少なくとも１つの締結ねじを挿入するための各中央セルの内側スロットに対する手段と、横材５９のヘッド部の締付け要素６１とを特徴とし、そのような締付け要素６１は、当該物品を組み付ける作業者自身の作業現場における安全を保証するために、円形形状を好ましくは特徴とする。
【００２９】
図１２〜１５は、本発明中参照される動的モジュール式構成システム１および支持ブラケット３０の斜視図および側面図を示す。具体的には、支持ブラケット３０は、図１７にはっきり示されるように、補強鉄材を完全に支持するためにビーム９０と結合されて示される。
【図１】
2014505814.tif 000003
【図２】
2014505814.tif 000004
【図３】
2014505814.tif 000005
【図４】
2014505814.tif 000006
【図５】
2014505814.tif 000007
【図６】
2014505814.tif 000008
【図７】
2014505814.tif 000009
【図８】
2014505814.tif 000010
【図９】
2014505814.tif 000011
【図１０】
2014505814.tif 000012
【図１１】
2014505814.tif 000013
【図１２】
2014505814.tif 000014
【図１３】
2014505814.tif 000015
【図１４】
2014505814.tif 000016
【図１５】
2014505814.tif 000017
【図１６】
2014505814.tif 000018
【図１７】
2014505814.tif 000019
【図１８】
2014505814.tif 000020
【図１９】
2014505814.tif 000021
【図２０】
2014505814.tif 000022
【図２１】
2014505814.tif 000023
【図２２】
2014505814.tif 000024
【図２３】
2014505814.tif 000025
【図２４】
2014505814.tif 000026
【図２５】
2014505814.tif 000027
【図２６】
2014505814.tif 000028
【図２７】
2014505814.tif 000029
【図２８】
2014505814.tif 000030
【図２９】
2014505814.tif 000031
【図３０】
2014505814.tif 000032
【図３１】
2014505814.tif 000033
【図３２】
2014505814.tif 000034
【図３３】
2014505814.tif 000035
【図３４】
2014505814.tif 000036
【図３５】
2014505814.tif 000037
【図３６】
2014505814.tif 000038
【国際調査報告】
2014505814.tif 000039
2014505814.tif 000040
2014505814.tif 000041